(57)【要約】【課題】本発明は、濾過フィルターの広範囲に亘って良好な除塵が行われ、通気が損なわれない電気掃除機を提供することを目的とする。【解決手段】本発明は、気流に含まれる塵埃を濾過集塵する濾過フィルターが縦に装着される集塵ケースと、集塵ケースの下流に設ける電動送風機と、集塵ケースと電動送風機の間に介在するように設ける除塵ユニットと、電源コード巻取り装置を有する電気掃除機において、濾過フィルターは、不織布を含む繊維が固められた弾発性をもつ縦に走る多数のプリーツを有し、濾過フィルターの上側部位を集塵面の反対側からプリーツの山並みを横切りながら弾く第１除塵手段と、濾過フィルターの下側部位を下流側から上流側に向けてプリーツを叩く第２除塵手段を有することを特徴とする。【選択図】図１
2008307317.tif 000002
【特許請求の範囲】
【請求項１】
気流に含まれる塵埃を濾過集塵する濾過フィルターが縦に置かれる集塵部と、前記集塵部の下流側に設けられた電動送風機と、電源コード巻取り装置を有する電気掃除機において、
前記濾過フィルターの上側部位に集塵面の反対側より除塵振動を付与する第１除塵手段と、前記濾過フィルターの下側部位に集塵面の反対側より除塵振動を付与する第２除塵手段を有することを特徴とする電気掃除機。
【請求項２】
請求項１記載の電気掃除機において、
前記第１除塵手段、および第２除塵手段の除塵作動は、少なくとも前記電源コード巻取り装置のコード引き出しの回転に依存することを特徴とする電気掃除機。
【請求項３】
請求項１記載の電気掃除機において、
第１除塵手段は回転伝達機構を介して前記電源コード巻取り装置に連結し、
第２除塵手段は第１の除塵手段を介して前記電源コード巻取り装置に連結されていることを特徴とする電気掃除機。
【請求項４】
請求項１〜３の何れかに記載された電気掃除機において、
前記第２除塵手段が前記集塵面の反対側に付与する除塵振動の動作は、前記濾過フィルターに向けた往復運動であることを特徴とする電気掃除機。
【請求項５】
気流に含まれる塵埃を濾過集塵する濾過フィルターが縦に置かれる集塵部と、前記集塵部の下流側に設けられた電動送風機と、電源コード巻取り装置を有する電気掃除機において、
前記濾過フィルターは、縦に走る多数のプリーツを有し、
前記濾過フィルターの上側部位を集塵面の反対側から前記プリーツの山並みを横切りながら弾く第１除塵手段と、
前記濾過フィルターの下側部位を下流側から上流側に向けて前記プリーツを叩く第２除塵手段を有することを特徴とする電気掃除機。
【請求項６】
請求項５に記載された電気掃除機において、
前記濾過フィルターは、縦に走る多数のプリーツを有し、
前記第１除塵手段は前記プリーツを弾く弾き除塵子を有し、
前記第２除塵手段は前記プリーツを叩く打撃除塵子を有することを特徴とする電気掃除機。
【請求項７】
気流に含まれる塵埃を濾過集塵する濾過フィルターが縦に装着される集塵ケースと、前記集塵ケースの下流に設ける電動送風機と、前記集塵ケースと前記電動送風機の間に介在するように設ける除塵ユニットと、電源コード巻取り装置を有する電気掃除機において、
前記濾過フィルターの上側部位に集塵面の反対側より除塵振動を付与する第１除塵手段と、前記濾過フィルターの下側部位に集塵面の反対側より除塵振動を付与する第２除塵手段を有することを特徴とする電気掃除機。
【請求項８】
請求項７に記載の電気掃除機において、
前記除塵ユニットは、前記第１除塵手段、および前記第２除塵手段が取り付けられる除塵ユニット枠体を有し、
前記第２除塵手段は前記除塵ユニット枠体に取り外し自在に装着され、
前記濾過フィルターを抜けた微細塵が捕集される保護フィルターを前記第２除塵手段と前記除塵ユニット枠体との間に介在したことを特徴とする電気掃除機。
【請求項９】
請求項７に記載の電気掃除機において、
前記第２除塵手段は、除塵支持枠と、前記除塵支持枠に沿い、かつ揺動自在に支持される除塵可動枠を有することを特徴とする電気掃除機。
【請求項１０】
請求項７に記載の電気掃除機において、
前記第２除塵手段は、前記濾過フィルターを下流側から上流側に向けて叩く打撃除塵子を有することを特徴とする電気掃除機。
【請求項１１】
請求項９に記載の電気掃除機において、
前記打撃除塵子は、前記濾過フィルターの下流側に対面し、かつ横に長く延びる回転部材であることを特徴とする電気掃除機。
【請求項１２】
気流に含まれる塵埃を濾過集塵する濾過フィルターが縦に装着される集塵ケースと、前記集塵ケースの下流に設ける電動送風機と、前記集塵ケースと前記電動送風機の間に介在するように設ける除塵ユニットと、電源コード巻取り装置を有する電気掃除機において、
前記濾過フィルターは、不織布を含む繊維が固められた弾発性をもつ縦に走る多数のプリーツを有し、
前記濾過フィルターの上側部位を集塵面の反対側から前記プリーツの山並みを横切りながら弾く第１除塵手段と、
前記濾過フィルターの下側部位を下流側から上流側に向けて前記プリーツを叩く第２除塵手段を有することを特徴とする電気掃除機。
【請求項１３】
請求項１２に記載された電気掃除機において、
前記集塵ケースは、サイクロン集塵室と、前記サイクロン集塵室の下側に設けられ、かつ前記第１除塵手段、および前記第２除塵手段から除塵された塵埃が溜まる細塵集塵室を有し、
前記細塵集塵室は、前記濾過フィルターの集塵面との間に形成される上向きの塵埃入口が内部空間の高さよりも狭いことを特徴とする電気掃除機。
【発明の詳細な説明】
【技術分野】
【０００１】
本発明は、気流に含まれる塵埃を濾過集塵する濾過フィルターが縦に置かれる集塵部と、前記集塵部の下流側に設けられた電動送風機と、電源コード巻取り装置を有し、濾過フィルターの集塵面の反対側に除塵振動を付与して除塵を行う電気掃除機に関するものである。
【背景技術】
【０００２】
この種の電気掃除機は、例えば、特開２００７−４４７号公報（特許文献１）、特開２００７−６１１４８号公報（特許文献２）、および特開２００６−６１５３７号公報（特許文献３）に掲載されている。
【０００３】
【特許文献１】特開２００７−４４７号公報
【特許文献２】特開２００７−６１１４８号公報
【特許文献３】特開２００６−６１５３７号公報
【発明の開示】
【発明が解決しようとする課題】
【０００４】
特許文献１が示す電気掃除機は、縦に置かれる波形の濾過フィルターの上側部位を集塵面の反対側から弾く除塵手段が備わっている。このものは、弾かれる部位から離れたところの除塵が低下する。
【０００５】
特許文献２が示す電気掃除機は、集塵袋の後部、および下部に外側面より除塵振動を加える除塵手段が備わっている。
【０００６】
このものは、縦に置かれる波形の濾過フィルターと違って、柔らかな集塵袋であるので、集塵袋の後部、および下部の全域に亘って除塵振動を加える必要がある。このため、除塵手段が大きくなる嫌いがある。除塵手段が大きくなる分、通気を損ねることになる。
【０００７】
特許文献３が示す電気掃除機は、縦に置かれる波形の濾過フィルターの下側部位を集塵面の反対側から叩く除塵手段が備わっている。このものは、叩かれる部位から離れたところの除塵が低下する。
【０００８】
また、特許文献３では濾過フィルターの叩かれる下側部位は左右中央の一部であるので、除塵が一部に偏ってしまう嫌いがある。
【０００９】
本発明は上記従来の課題に鑑み、濾過フィルターの広範囲に亘って良好な除塵が行われ、通気が損なわれない電気掃除機を提供することを目的とする。
【課題を解決するための手段】
【００１０】
本発明は、気流に含まれる塵埃を濾過集塵する濾過フィルターが縦に置かれる集塵部と、集塵部の下流側に設けられた電動送風機と、電源コード巻取り装置を有する電気掃除機において、濾過フィルターの上側部位に集塵面の反対側より除塵振動を付与する第１除塵手段と、濾過フィルターの下側部位に集塵面の反対側より除塵振動を付与する第２除塵手段を有することを特徴とする。
【発明の効果】
【００１１】
本発明によれば、濾過フィルターの広範囲に亘って良好な除塵が行われ、かつ通気が損なわれない電気掃除機を提供できる。
【発明を実施するための最良の形態】
【００１２】
以下、本発明の実施形態の一例を示す図面を引用して説明する。
【００１３】
図１、図２、図３を引用して本発明の実施形態に係る電気掃除機の概要から述べる。
【００１４】
図２に示すように、掃除機本体２０４には、吸口２０１が延長管２０２、ホース２０３を介して連通するように接続されている。このため、吸口２０１から吸引された塵埃は延長管２０２、ホース２０３を通り掃除機本体２０４に集塵される。
【００１５】
図３に示すように、掃除機本体２０４の集塵部には、集塵ケース４０１が着脱自在に装着されている。掃除機本体２０４の上部には、集塵部を開閉する集塵蓋３０１を設けている。
【００１６】
電気掃除機を運転して掃除をすると、集塵ケース４０１に塵埃が集塵され、このとき塵埃により濾過フィルターが徐々に目詰まりを起こして、吸込力が低下していく。堆積した塵埃は集塵ケース４０１を掃除機本体２０４から取り外して集塵ケース４０１に溜まっている塵埃を廃棄する。
【００１７】
図１に示すように、除塵ユニット７００が掃除機本体２０４の内部に設けられる。除塵ユニット７００は、集塵ケースの下流側に位置する。
【００１８】
電動送風機５０３は、図５に示されるように、除塵ユニット７００の下流側に位置する。電源コード巻取り装置は、電動送風機５０３の横隣に配置される。
【００１９】
集塵ケース４０１は、図１０、図４、図９、図６に示すように、内部にサイクロン集塵室８００と、サイクロン集塵室８００の下側に細塵集塵室８１０を有する。濾過フィルター４０２は、集塵ケース４０１の下流側に位置するように設けられる。
【００２０】
濾過フィルター４０２は、不織布を含む繊維が固められた弾発性をもつ縦に走る多数のプリーツを有する。
【００２１】
濾過フィルター４０２はサイクロン集塵室８００の下流側に位置し、サイクロン集塵室８００で捕集されなかった細かな塵埃が集塵される。濾過フィルター４０２より除塵された細塵は、細塵集塵室８１０に溜まる。
【００２２】
細塵集塵室８１０には、濾過フィルター４０２の集塵面との間に形成される上向きの塵埃入口８１１が設けられる。この塵埃入口８１１は、細塵集塵室８１０の内部空間の高さよりも狭い。
【００２３】
細塵集塵室８１０に入った細塵は、塵埃入口８１１が狭いので、電気掃除機の運転中に塵埃入口８１１から流出して再び舞い上がる可能性が少なくなるので、濾過フィルター４０２の目詰まりが生じ難い。
【００２４】
濾過フィルター４０２は、図６、図９、図１０に示すように、蝶番９００によって集塵ケース４０１に開閉回動自在に下端側が支持されている。
【００２５】
集塵ケース４０１の上部に設けたフック９０１を外すと、濾過フィルター４０２は、蝶番９００を支点として集塵ケース４０１から離れるように開かれる。こうして、集塵ケース４０１に溜まった塵埃を捨てる。
【００２６】
集塵部は、集塵ケース４０１、濾過フィルター４０２、除塵ユニット７００を含めた総称である。集塵部の下流側に電動送風機５０３が位置するので、集塵ケース４０１と電動送風機５０３の間に介在するように除塵ユニット７００は置かれる。
【００２７】
除塵ユニット７００は、図５、図６、図７に示すように、除塵ユニット枠体７５０と、この除塵ユニット枠体７５０に取り付けられた第１除塵手段１０１、および第２除塵手段１０２を有する。
【００２８】
第１除塵手段１０１は、濾過フィルター４０２の上側部位を集塵面の反対側からプリーツの山並みを横切りながら弾く弾き除塵子１０１０を有する。
【００２９】
第２除塵手段１０２は、濾過フィルター４０２の下側部位を下流側から上流側に向けてプリーツを叩く打撃除塵子１０２０を有する。
【００３０】
すなわち、第１除塵手段１０１の除塵動作は、螺旋バネの除塵子１０１０の回転運動が齎す。第２除塵手段１０２の除塵動作は、打撃除塵子１０２０の往復運動にともなうものである。
【００３１】
濾過フィルター４０２と電動送風機５０３との間に設ける第１除塵手段１０１の弾き除塵子１０１０は、濾過フィルター４０２の中心よりも上側部位に置かれる。同じく濾過フィルター４０２と電動送風機５０３との間に設ける第２除塵手段１０２の打撃除塵子１０２０は、濾過フィルター４０２の中心よりも下側部位に置かれる。
【００３２】
すなわち、濾過フィルター４０２の集塵面の反対側に除塵振動を付与する弾き除塵子１０１０と打撃除塵子１０２０は、縦に置かれる濾過フィルター４０２の中心を避けて上／下側部位に離して置かれる。
【００３３】
このため、上下双方から除塵振動が濾過フィルター４０２に付与されるので、濾過フィルター４０２の広範囲に亘って除塵が行われる。
【００３４】
また、第１除塵手段１０１は弾く除塵、第２除塵手段１０２は叩く除塵である。この異なる除塵形態の除塵作用が一つの濾過フィルター４０２に複合的に加わる相乗的な除塵効果が作用してより良好な除塵が行われる。
【００３５】
さらに、第１除塵手段１０１の除塵子１０１０と第２除塵手段１０２の打撃除塵子１０２０が濾過フィルター４０２の中心を避けて上／下側部位に離間して設けられるので、電動送風機５０３に向かう気流の流通が阻害され難く、空気の流通が良好に保たれる。
【００３６】
また、濾過フィルター４０２の下側集塵面に上向の塵埃入口８１１をもつ細塵集塵室８１０が位置している。第２除塵手段１０２の打撃除塵子１０２０の打撃反動で、集塵面の前方に弾き飛ぶ細塵は細塵集塵室８１０に落ち込んで集塵される。このため、除塵された細塵が飛散が生じ難く、濾過フィルター４０２に再付着する不具合が解消される。
【００３７】
第１除塵手段１０１、および第２除塵手段１０２の除塵作動は、電源コード巻取り装置５０１の回転に依存する。電源コード巻取り装置のコード引き出し、ないしコード巻き取りに伴い第１除塵手段１０１、および第２除塵手段１０２による濾過フィルター４０２の除塵が行われる。
【００３８】
電源コード巻取り装置５０１は、コードを巻くコードリールとコードリールが巻き取り方向に回される巻取りゼンマイバネを有する。コード巻き取りの回転に際しても、第１除塵手段１０１、および第２除塵手段１０２を除塵作動させると、巻取りゼンマイバネの負担が重くなり、コード巻き取りができなくなる。
【００３９】
そこで、一方向回転が伝わるクラッチを設け、コード巻き取り時には電源コード巻取り装置５０１の回転が第１除塵手段１０１、および第２除塵手段１０２に伝わらないようにした。これにより、巻取りゼンマイバネの負担が軽減され、コード巻き取りが行われる。
【００４０】
第１除塵手段１０１は、回転棒体６０２の周りに付設した螺旋バネの除塵子１０１０を有する。この螺旋バネの除塵子１０１０が濾過フィルター４０２のプリーツの山並みを横切りながら弾くことにより、第１除塵手段１０１の除塵が行われる。
【００４１】
電源コード巻取り装置５０１の回転は、図５、図６、図７、図８に示すように、回転伝達機構５００を介して第１除塵手段１０１に伝わり、第２除塵手段１０２には第１除塵手段１０１を介して伝わる。
【００４２】
回転伝達機構５００は、電源コード巻取り装置５０１のコードリールの外周ギアと噛み合う中間ギア５０２と、中間ギア５０２と噛み合う第１除塵ギア５５３を有する。前述した一方向回転が伝わるクラッチは、回転伝達機構５００または第１除塵手段１０１に設けることができる。
【００４３】
第２除塵手段１０２には、第１除塵手段１０１を介して電源コード巻取り装置５０１の回転に伝わるので、第２除塵手段１０２用の上記クラッチは不要である。
【００４４】
このように、電源コード巻取り装置５０１の回転は、第１除塵手段１０１を介して第２除塵手段１０２に伝達されるので、クラッチを含めて第２除塵手段１０２用の回転伝達機構を別途設ける必要がなく、回転伝達機構が簡素化される。
【００４５】
濾過フィルター４０２は、図４、図９、図１０に示すように、プリーツの頂部に第１被除塵部４０３と、第２被除塵部４０４を有する。
【００４６】
第１被除塵部４０３は濾過フィルター４０２の上側部位に、第２被除塵部４０４は濾過フィルター４０２の下側部位に設ける。第１被除塵部４０３は第１除塵手段１０１の除塵子１０１０で弾かれる。第２被除塵部４０４は第２除塵手段１０２の打撃除塵子１０２０で叩かれる。
【００４７】
第１被除塵部４０３、および第２被除塵部４０４は、ポリアセタール樹脂製の突起で形成されている。この突起は各プリーツの頂部に設けられている。この突起を設けることにより、濾過フィルター４０２を痛めない。また、プリーツの頂部の硬さがますので、弾き、叩きによる振動が増加し除塵効率が向上し、除塵が良く行われる。
【００４８】
また、ポリアセタール樹脂は、摩擦係数が小さいので突起の寿命を長くすることができる。
【００４９】
除塵ユニットについて、図６、図７、図８を引用して説明する。
【００５０】
ここでは、第２除塵手段を中心に説明する。
【００５１】
第２除塵手段１０２は、除塵支持枠７０２と、除塵支持枠７０２に沿い、かつ揺動自在に支持される除塵可動枠７０３を有する。除塵支持枠７０２、除塵可動枠７０３は粗めの格子にして通風が阻害されないようにしている。
【００５２】
除塵可動枠７０３は中段両側に突出した支軸部８０１を有する。この支軸部８０１が除塵支持枠７０２の中段両側に設けた軸受に挿入され、除塵可動枠７０３は除塵支持枠７０２に対し揺動自在になっている。
【００５３】
除塵支持枠７０２は、上部に上係止片８５０、下部に下係止片８５１を有する。この上係止片８５０、下係止片８５１を用いて除塵支持枠７０２は、除塵ユニット枠体７５０に着脱自在に取り付けられる。
【００５４】
保護フィルター７６０は、除塵ユニット枠体７５０と除塵支持枠７０２に挟持されて保持される。保護フィルター７０６は濾過フィルター４０２を抜けた微細塵を捕集したり、異物が電動送風機５０３に吸い込まれるのをブロックする。
【００５５】
除塵ユニット枠体７５０は、中央に放射状の粗目の支骨を有する。この支骨の間から保護フィルター７６０を通過した空気は電動送風機５０３へと吸い込まれて行く。
【００５６】
第２除塵手段１０２は、除塵ユニット７００より外すことができるので、保護フィルター７６０の掃除や第２除塵手段１０２の手入れが容易にできる。
【００５７】
除塵可動枠７０３は、下側に打撃除塵子１０２０を回転自在に支持する。この打撃除塵子１０２０は濾過フィルター７０６の下流側に対面し、かつ横に長く延びる回転部材である。
【００５８】
この回転部材の打撃除塵子１０２０は、両端の支軸部８０２が除塵可動枠７０３に回動自在に支持され、中央が除塵可動枠７０３の格子に回動自在に支持される。
【００５９】
打撃除塵子１０２０は濾過フィルター４０２を叩く打撃部材である。この打撃除塵子１０２０は集塵ケース４０１を掃除機本体２０４に取り付け、取り外す際に回転するので濾過フィルター４０２との擦れ合いが円滑に行なわれ、集塵ケース４０１の装着脱が容易にできる。
【００６０】
付勢バネ７０４は、図６に示すように、打撃除塵子１０２０が濾過フィルター４０２に押圧されるように除塵支持枠７０２と除塵可動枠７０３の間に圧縮介在している。作動レバー７０１は、図７、図８に示すように、除塵支持枠７０２の左端上部に設けられる。
【００６１】
この作動レバー７０１は、第１除塵手段１０１の回転棒体６０２の左端（回転伝達機構５００の反対側）に設けたカム突起６０１に摺接するように組み合わされる。第１除塵手段１０１の回転により、カム突起６０１が作動レバー７０１を断続的に押すので、除塵可動枠７０３は付勢バネ７０４に抗して揺動運動をする。
【００６２】
この揺動運動により、第２除塵手段１０２の打撃除塵子１０２０は、濾過フィルター４０２を集塵面の反対側である下流側から上流側（集塵面側）に向けて続けて叩き、濾過フィルター４０２に付着した塵埃の除塵を行なう。
【００６３】
この第２除塵手段１０２の打撃除塵子１０２０による叩き除塵は、濾過フィルター４０２の横幅に亘る横に長く延びる回転部材で行なうので、従来例で述べた中央の一部を叩く除塵とは違って広範囲に亘る偏りのない除塵が提供される。
【００６４】
また、上述した第１除塵手段１０１の除塵子１０１０（回転棒体６０２の周りに付設した螺旋バネの除塵子）も、濾過フィルター４０２の横幅に亘る横に長く延びて存在する。このため、濾過フィルター４０２には、横幅に亘る広い範囲の除塵振動が上／下側部位で一斉に作用するので、濾過フィルター７０６の全域に及ぶ良好な除塵が提供される。
【００６５】
さらに、第１除塵手段１０１の除塵子１０１０と第２除塵手段１０２の打撃除塵子１０２０は、電動送風機に吸い込まれる空気が流れる通気を避けるように上下部位に離間して存在するので、流通が妨げられず、良好な吸い込みが得られる。
【００６６】
また、打撃除塵子１０２０は、両端が除塵可動枠７０３に回動自在に支持されるとともに、中央が除塵可動枠７０３の格子に回動自在に支持されているので、集塵ケース４０１の装着脱が打撃除塵子１０２０の回転で軽く行なわれる。これに加え、打撃除塵子１０２０の中央が回動自在に支持されているので、打撃による変形に強く、良好な除塵が維持される。
【図面の簡単な説明】
【００６７】
【図１】本発明の実施形態の一例に係る掃除機本体の外観図で、集塵ケースが外された状態を示している。
【図２】本発明の実施形態の一例に係る電気掃除機の全体外観図である。
【図３】本発明の実施形態の一例に係る掃除機本体の外観図で、集塵蓋が開いた状態を示している。
【図４】本発明の実施形態の一例に係る集塵ケースの外観図である。
【図５】本発明の実施形態の一例に係る掃除機本体の外観図で、上本体ケースと、集塵ケースが除去された状態を示している。
【図６】本発明の実施形態の一例に係る濾過フィルターと除塵装置の組み合わせを断面して示した図である。
【図７】本発明の実施形態の一例に係る除塵機構の外観図である。
【図８】本発明の実施形態の一例に係る除塵機構の第２除塵手段の外観図である。
【図９】本発明の実施形態の一例に係る濾過フィルターの正面図である。
【図１０】本発明の実施形態の一例に係るもので、図４のＸ―Ｘ断面図である。
【符号の説明】
【００６８】
１０１…第１除塵手段、１０２…第２除塵手段、２０１…吸口、２０２…延長管、２０３…ホース、２０４…掃除機本体、３０１…集塵蓋、４０１…集塵ケース、４０２…濾過フィルター、４０３…第１被除塵部、４０４…第２被除塵部、５０１…電源コード巻取り装置、５０２…中間ギア、５０３…電動送風機、６０１…カム突起、６０２…回転棒体、７０１…突出部、７０２…除塵支持枠、７０３…枠体、７０４…付勢バネ、７５０…除塵ユニット枠体、７６０…保護フィルター、８０１…支軸部、８０２…支軸部、１０１０…除塵子、１０２０…打撃除塵子。
【図１】
2008307317.tif 000003
【図２】
2008307317.tif 000004
【図３】
2008307317.tif 000005
【図４】
2008307317.tif 000006
【図５】
2008307317.tif 000007
【図６】
2008307317.tif 000008
【図７】
2008307317.tif 000009
【図８】
2008307317.tif 000010
【図９】
2008307317.tif 000011
【図１０】
2008307317.tif 000012